(57)【要約】【課題】電子掲示板上で、ある特定の回数の投稿が行われた場合、該当する回数の投稿を行った電子掲示板利用者へ、電子掲示板の管理者が指定した情報を自動送信するシステムを提供する。【解決手段】ネットワークに接続され、前記ネットワークを介して投稿情報を送信する端末と、前記ネットワークに接続され、前記ネットワークを介して受信された前記投稿情報を電子掲示板に掲載し、前記電子掲示板への前記投稿情報の投稿回数に応じて、特定電子メールを前記端末に送信する電子掲示板サーバとを具備する。【選択図】    図１
2004258721.tif 000002
【特許請求の範囲】
【請求項１】
ネットワークに接続され、前記ネットワークを介して投稿情報を送信する端末と、
前記ネットワークに接続され、前記ネットワークを介して受信された前記投稿情報を電子掲示板に掲載し、前記電子掲示板への前記投稿情報の投稿回数に応じて、特定電子メールを前記端末に送信する電子掲示板サーバと
を具備する
電子掲示板システム。
【請求項２】
請求項１に記載の電子掲示板システムにおいて、
前記端末の電子メールアドレスは予め前記電子掲示板サーバに登録されており、前記電子掲示板サーバは、前記登録された電子メールアドレスを用いて前記特定電子メールを前記端末に送信する
電子掲示板システム。
【請求項３】
請求項２に記載の電子掲示板システムにおいて、
前記電子掲示板サーバは
投稿情報を受信して、電子掲示板に掲載する掲載部と、前記投稿情報は、投稿者名を含み、
前記投稿情報の投稿回数を前記投稿者名ごとに監視する監視部と、
前記監視部により特定投稿者名の前記投稿情報の投稿回数が所定値に達したとき、特定電子メールを前記特定投稿者名に対応する投稿者の端末宛てに送信する処理部とを具備する
電子掲示板システム。
【請求項４】
請求項３に記載の電子掲示板システムにおいて、
前記投稿情報は、投稿者の電子メールアドレスを含み、
前記投稿情報の投稿回数を前記投稿者名、または、前記電子メールアドレスの少なくともどちらか一方ごとに監視する監視部と、
前記監視部により特定投稿者名、または、特定電子メールアドレスの少なくともどちらか一方の前記投稿情報の投稿回数が所定値に達したとき、特定電子メールを前記電子メールアドレス宛てに送信する処理部とを具備する電子掲示板システム。
【請求項５】
請求項４に記載の電子掲示板システムにおいて、
前記特定電子メールは、前記投稿情報の前記投稿回数の通知、前記端末の利用者にとって有益な情報の通知、前記投稿への感謝を示す通知のうちの何れかを含む
電子掲示板システム。
【請求項６】
ネットワークに接続され、前記ネットワークを介して投稿情報を送信する端末と、
前記ネットワークに接続され、前記ネットワークを介して受信された前記投稿情報を電子掲示板に掲載し、前記電子掲示板への前記投稿情報の投稿回数に応じて、送信命令を前記ネットワークを介して送信する電子掲示板サーバと、
前記送信命令に応答して特定電子メールを前記端末に送信する電子メールサーバとを具備する
電子掲示板システム。
【請求項７】
請求項６に記載の電子掲示板システムにおいて、
前記端末の電子メールアドレスは予め前記電子掲示板サーバに登録されており、前記送信命令は、前記端末の前記電子メールアドレスを含む
電子掲示板システム。
【請求項８】
請求項７に記載の電子掲示板システムにおいて、
前記電子掲示板サーバは
投稿情報を受信して、電子掲示板に掲載する掲載部と、前記投稿情報は、投稿者名を含み、
前記投稿情報の投稿回数を前記投稿者名ごとに監視する監視部と、
前記監視部により特定投稿者名の前記投稿情報の投稿回数が所定値に達したとき、特定電子メールを前記特定投稿者名に対応する投稿者の端末宛てに送信する処理部とを具備する
電子掲示板システム。
【請求項９】
請求項８に記載の電子掲示板システムにおいて、
前記投稿情報は、投稿者の電子メールアドレスを含み、
前記投稿情報の投稿回数を前記投稿者名、または、前記電子メールアドレスの少なくともどちらか一方ごとに監視する監視部と、
前記監視部により特定投稿者名、または、特定電子メールアドレスの少なくともどちらか一方の前記投稿情報の投稿回数が所定値に達したとき、特定電子メールを前記電子メールアドレス宛てに送信する処理部とを具備する
電子掲示板システム。
【請求項１０】
請求項９に記載の電子掲示板システムにおいて、
前記特定電子メールは、前記投稿情報の前記投稿回数の通知、前記端末の利用者にとって有益な情報の通知、前記投稿への感謝を示す通知のうちの何れかを含む
電子掲示板システム。
【請求項１１】
投稿情報を受信して、電子掲示板に掲載する掲載部と、前記投稿情報は、投稿者名を含み、
前記投稿情報の投稿回数を前記投稿者名ごとに監視する監視部と、
前記監視部により特定投稿者名の前記投稿情報の投稿回数が所定値に達したとき、特定電子メールを前記特定投稿者名に対応する投稿者の端末宛てに送信する処理部とを具備する
電子掲示板サーバ。
【請求項１２】
請求項１１に記載の電子掲示板システムにおいて、
前記投稿情報は、投稿者の電子メールアドレスを含み、
前記投稿情報の投稿回数を前記投稿者名、または、前記電子メールアドレスの少なくともどちらか一方ごとに監視する監視部と、
前記監視部により特定投稿者名、または、特定電子メールアドレスの少なくともどちらか一方の前記投稿情報の投稿回数が所定値に達したとき、特定電子メールを前記電子メールアドレス宛てに送信する処理部とを具備する
電子掲示板サーバ。
【請求項１３】
請求項１１または１２に記載の電子掲示板サーバにおいて、
前記端末の電子メールアドレスは予め前記電子掲示板サーバに登録されており、前記電子掲示板サーバは、前記登録された電子メールアドレスを用いて前記特定電子メールを前記端末に送信する
電子掲示板サーバ。
【請求項１４】
投稿情報を受信して、電子掲示板に掲載するステップと、前記投稿情報は、投稿者名を含み、
前記投稿情報の投稿回数を前記投稿者名ごとに監視するステップと、
特定投稿者名の前記投稿情報の投稿回数が所定値に達したとき、特定電子メールを前記特定投稿者名に対応する投稿者の端末宛てに送信するステップと
を具備する方法を実行するためのコンピュータ読取可能な
電子掲示板プログラム。
【請求項１５】
請求項１４に記載の電子掲示板プログラムにおいて、
前記投稿情報は、投稿者の電子メールアドレスを含み、
前記投稿情報の投稿回数を前記投稿者名、または、前記電子メールアドレスの少なくともどちらか一方ごとに監視するステップと、
特定投稿者名、または、特定電子メールアドレスの少なくともどちらか一方の前記投稿情報の投稿回数が所定値に達したとき、特定電子メールを前記電子メールアドレス宛てに送信するステップを具備する
方法を実行するためのコンピュータ読取可能な
電子掲示板プログラム。
【発明の詳細な説明】
【０００１】
【発明の属する技術分野】
本発明は、ネットワーク上で運営される電子掲示板に関する。
【０００２】
【従来の技術】
これまでの電子掲示板システムでは入力機能としてＷｅｂブラウザを使用し、Ｗｅｂサーバ上のファイルに対してメッセージの投稿を行い、書き込まれたメッセージを見る場合にも出力機能としてＷｅｂブラウザを使用している。
【０００３】
従来の電子掲示板システムでは、投稿された記事の内容を、電子掲示板利用者に通知する方法は知られていた。（例えば、特許文献１参照）
【０００４】
電子掲示板利用者にとって、その電子掲示板にどのぐらいの量の情報提供を行っているのかを把握するには、利用者自身が能動的に電子掲示板にアクセスし、自分の投稿を閲覧するしか方法が無かった。
【０００５】
しかしながら、ほとんどの電子掲示板において、ある一定期間経過した過去の掲載記事は、掲載対象からはずされ、電子掲示板利用者にとって、そのような記事を閲覧することができず、更には、既に記事そのものが削除されている場合もあり、実際に電子掲示板利用者が行った情報提供量を正確に把握することができなかった。
【０００６】
【特許文献１】
特開２００１−３２５１９３号公報
【０００７】
【発明が解決しようとする課題】
電子掲示板利用者にとって、自分がどのくらいの頻度で電子掲示板を利用しているのかを把握することが困難であり、電子掲示板利用回数の目安が存在しないのが現状であった。
【０００８】
電子掲示板の管理者にとって、電子掲示板を頻繁に利用し、数多くの情報を提供してくれる利用者は非常に大切な存在であり、そのような利用者の情報は、電子掲示板を運営していく上で管理者が把握しておきたい情報のひとつであった。
【０００９】
しかしながら、従来の電子掲示板技術において、電子掲示板を頻繁に利用する個人を電子掲示板の管理者が特定するには、膨大なログを調査しなければならず、そのような調査は電子掲示板管理者の大きな負担であった。
【００１０】
したがって、本発明が解決しようとする課題は、インターネット上の電子掲示板システムにおいて、電子掲示板上で、ある特定の回数の投稿が行われた場合、該当する回数の投稿を行った電子掲示板利用者へ、電子掲示板の管理者が指定した情報を自動送信するシステムを提供することにある。
【００１１】
【課題を解決するための手段】
以下に、［発明の実施の形態］で使用される番号を用いて、課題を解決するための手段を説明する。これらの番号は、［特許請求の範囲］の記載と［発明の実施の形態］との対応関係を明らかにするために付加されたものである。ただし、それらの番号を、［特許請求の範囲］に記載されている発明の技術的範囲の解釈に用いてはならない。
【００１２】
本発明に係る電子掲示板システムは、ネットワーク（４）に接続され、前記ネットワーク（４）を介して投稿情報を送信する端末（２）と、前記ネットワーク（４）に接続され、前記ネットワーク（４）を介して受信された前記投稿情報を電子掲示板に掲載し、前記電子掲示板への前記投稿情報の投稿回数に応じて、特定電子メールを前記端末（２）に送信する電子掲示板サーバ（１）とを具備する。
【００１３】
前記端末（２）の電子メールアドレスは予め前記電子掲示板サーバ（１）に登録されており、前記電子掲示板サーバ（１）は、前記登録された電子メールアドレスを用いて前記特定電子メールを前記端末（２）に送信する。
【００１４】
前記電子掲示板サーバ（１）は、投稿情報を受信して、電子掲示板に掲載する掲載部と、前記投稿情報は、投稿者名を含み、前記投稿情報の投稿回数を前記投稿者名ごとに監視する監視部と、前記監視部により特定投稿者名の前記投稿情報の投稿回数が所定値に達したとき、特定電子メールを前記特定投稿者名に対応する投稿者の端末（２）宛てに送信する処理部とを具備する。
【００１５】
前記電子掲示板サーバ（１）は、投稿情報を受信して、電子掲示板に掲載する掲載部と、前記投稿情報は、投稿者の電子メールアドレスを含み、前記投稿情報の投稿回数を前記電子メールアドレスごとに監視する監視部と、前記監視部により特定電子メールアドレスの前記投稿情報の投稿回数が所定値に達したとき、特定電子メールを前記特定投稿者名に対応する投稿者の端末（２）宛てに送信する処理部とを具備する。
【００１６】
前記特定電子メールは、前記投稿情報の前記投稿回数の通知、前記端末（２）の利用者にとって有益な情報の通知、前記投稿への感謝を示す通知のうちの何れかを含む。
【００１７】
ネットワーク（４）に接続され、前記ネットワーク（４）を介して投稿情報を送信する端末（２）と、前記ネットワーク（４）に接続され、前記ネットワーク（４）を介して受信された前記投稿情報を電子掲示板に掲載し、前記電子掲示板への前記投稿情報の投稿回数に応じて、送信命令を前記ネットワーク（４）を介して送信する電子掲示板サーバ（１）と、前記送信命令に応答して特定電子メールを前記端末（２）に送信する電子メールサーバとを具備する。
【００１８】
前記端末（２）の電子メールアドレスは予め前記電子掲示板サーバ（１）に登録されており、前記送信命令は、前記端末（２）の前記電子メールアドレスを含む。
【００１９】
前記電子掲示板サーバ（１）は、投稿情報を受信して、電子掲示板に掲載する掲載部と、前記投稿情報は、投稿者名を含み、前記投稿情報の投稿回数を前記投稿者名ごとに監視する監視部と、前記監視部により特定投稿者名の前記投稿情報の投稿回数が所定値に達したとき、特定電子メールを前記特定投稿者名に対応する投稿者の端末（２）宛てに送信する処理部とを具備する。
【００２０】
前記電子掲示板サーバ（１）は、投稿情報を受信して、電子掲示板に掲載する掲載部と、前記投稿情報は、投稿者の電子メールアドレスを含み、前記投稿情報の投稿回数を前記電子メールアドレスごとに監視する監視部と、前記監視部により特定電子メールアドレスの前記投稿情報の投稿回数が所定値に達したとき、特定電子メールを前記特定投稿者名に対応する投稿者の端末（２）宛てに送信する処理部とを具備する。
【００２１】
前記特定電子メールは、前記投稿情報の前記投稿回数の通知、前記端末（２）の利用者にとって有益な情報の通知、前記投稿への感謝を示す通知のうちの何れかを含む。
【００２２】
本発明に係る電子掲示板サーバは、投稿情報を受信して、電子掲示板に掲載する掲載部と、前記投稿情報は、投稿者名を含み、前記投稿情報の投稿回数を前記投稿者名ごとに監視する監視部と、前記監視部により特定投稿者名の前記投稿情報の投稿回数が所定値に達したとき、特定電子メールを前記特定投稿者名に対応する投稿者の端末（２）宛てに送信する処理部とを具備する。
【００２３】
本発明に係る電子掲示板サーバは、投稿情報を受信して、電子掲示板に掲載する掲載部と、前記投稿情報は、投稿者の電子メールアドレスを含み、前記投稿情報の投稿回数を前記電子メールアドレスごとに監視する監視部と、前記監視部により特定電子メールアドレスの前記投稿情報の投稿回数が所定値に達したとき、特定電子メールを前記電子メールアドレス宛てに送信する処理部とを具備する。
【００２４】
本発明に係る電子掲示板サーバは、前記端末（２）のメールアドレスは予め前記電子掲示板サーバ（１）に登録されており、前記電子掲示板サーバ（１）は、前記登録されたメールアドレスを用いて前記特定電子メールを前記端末（２）に送信する。
【００２５】
本発明に係る電子掲示板プログラムは、投稿情報を受信して、電子掲示板に掲載するステップと、前記投稿情報は、投稿者名を含み、前記投稿情報の投稿回数を前記投稿者名ごとに監視するステップと、特定投稿者名の前記投稿情報の投稿回数が所定値に達したとき、特定電子メールを前記特定投稿者名に対応する投稿者の端末（２）宛てに送信するステップとを具備する。
【００２６】
本発明に係る電子掲示板プログラムは、投稿情報を受信して、電子掲示板に掲載するステップと、前記投稿情報は、投稿者の電子メールアドレスを含み、前記投稿情報の投稿回数を前記電子メールアドレスごとに監視するステップと、特定電子メールアドレスの前記投稿情報の投稿回数が所定値に達したとき、特定電子メールを前記特定電子メールアドレス宛てに送信するステップとを具備する。
【００２７】
【発明の実施の形態】
（実施例の構成）
本発明の第１の実施の形態について以下に説明する。図１を参照にすると、本実施の形態は、ネットワーク４に接続され、電子掲示板システムを提供する電子掲示板サーバ１と、電子掲示板の閲覧を行う利用者が使用する利用者端末２と、電子メールサーバ３と、で構成される。
【００２８】
電子掲示板サーバはさらに、コンピュータプログラム制御により動作するデータ処理機能１ａと情報を記憶するデータベース１ｂと備える。
【００２９】
データ処理機能１ａは、電子掲示板にアクセスした電子掲示板利用者の累積投稿回数を監視する投稿回数監視機能と、電子掲示板利用者の電子メールアドレスがデータベース１ｂに含まれるかどうかを検索する電子メールアドレス検索機能と、電子掲示板利用者の累積投稿回数が、特定の回数に達した場合に、その電子掲示板利用者に対して電子メールの作成を行う電子メール作成機能が含まれる。
【００３０】
データベース１ｂは、電子掲示板利用者データ、投稿回数別文章データ、掲載記事データを格納する。
【００３１】
電子掲示板利用者データは図４に示すように、電子掲示板利用者毎の電子メールアドレスや電子掲示板利用者毎の累積投稿回数などを記憶する。投稿回数別文章データは図３に示すように、電子メール送信の基準となる応答投稿回数や、電子掲示板利用者の投稿回数が応答投稿回数に達した場合に送信する電子メール本文に記載する送信文章などを記憶する。掲載記事データは図５に示すように、電子掲示板利用者が投稿した情報の情報や、その情報に対する返答記事の情報を記憶する。
【００３２】
データ処理部１ａは、投稿回数監視機能、電子メールアドレス検索機能、データベース更新機能、電子メール作成機能など機能を有し、本発明に必要なデータ処理を行う。
【００３３】
投稿回数監視機能は、利用者端末２から電子掲示板に掲載するための情報の投稿が行われ、サーバがこの投稿を受信する場合に、電子掲示板に掲載するための情報と合わせて、投稿した電子掲示板使用者の情報を受信し、データベースの電子掲示板利用者データを参照し、この電子掲示板利用者の投稿回数が、投稿回数別文章データで設定されている応答投稿回数に達しているかどうかを検索する。
【００３４】
投稿回数検索の結果、今回の投稿で、累積投稿回数が投稿回数別文章データで設定されている応答投稿回数に一致していた場合、応答投稿回数に対応して設定されている送信文章を抽出し、抽出した送信文章をメール作成機能へ送る。
【００３５】
電子メールアドレス検索機能は、投稿回数監視機能による投稿回数検索の結果、今回の投稿で、累積投稿回数が投稿回数別文章データで設定されている応答投稿回数に一致していた場合、データベースの電子掲示板利用者データを参照し、該当する電子掲示板利用者の電子メールアドレスを電子掲示板利用者データから検索する。
【００３６】
電子メールアドレス検索機能の検索の結果、電子掲示板利用者に対応する電子メールアドレスが登録されていれば、その電子メールアドレスを電子メール作成機能に送る。
【００３７】
電子メールアドレス検索機能の検索の結果、電子掲示板利用者に対応する電子メールアドレスが登録されていなければ、電子メールアドレスを登録するかどうかの問い合わせを行い、問い合わせに対する応答により、電子メールアドレスが入力された場合、データベースを更新し、さらに、入力された電子メールアドレスを電子メール作成機能部に送る。
【００３８】
問い合わせに対する応答が無かった場合、送信する宛先がないと判断し処理を終了する。
【００３９】
電子メール作成機能は、投稿回数監視機能から送られた投稿回数別文章データ、および、電子メールアドレス検索機能の各々から送られた電子メールアドレスを基に、電子メールを作成する。
【００４０】
作成された電子メールは電子メールサーバ３を経由して、電子メールアドレス検索機能により検出された電子メールアドレス宛に送信される。
【００４１】
投稿回数別文章データは、任意の投稿回数を応答投稿回数として設定することが可能であり、また、投稿回数別文章データの送信文章は、任意の文章を送信文章として設定可能である。
【００４２】
図３を例にとると、１０回投稿した場合には、「今回で１０回目の投稿です。いつもありがとうございます。」という文章を送信し、同一の電子掲示板利用者が２０回投稿した場合には「今回で２０回目の投稿です。貴重な情報感謝します。」という文章を送信する。
【００４３】
電子メール作成機能は同一のメッセージが同じ電子メールアドレスに送信されないように、電子メール送信前に過去の送信履歴を調べ、以前に電子メールを送信した履歴が存在する場合には電子メールを送信しない。
【００４４】
この機能を保有していることで、たとえば投稿回数別文章データの投稿回数「１０」と「２０」が電子メールを送信するように設定されていた場合、電子掲示板に１０回投稿した際に電子メールが送信された電子掲示板利用者に対しては１１回目の投稿時には電子メールは送信されない。また、同一の電子掲示板利用者が２０回投稿した場合は、２０回に対応する電子メールが送信され、１０回に対応する電子メールは送信されない。
【００４５】
（実施例の動作の説明）
次に図１の動作を図２に示すフローチャートを使用して説明する。
【００４６】
ステップＳ２００において電子掲示板サーバ１は、利用者端末２から投稿された情報を、ネットワーク４を介し受信する。受信された情報はステップＳ２０２において、新規電子掲示板利用者による投稿かどうかの判断が行われる。新規電子掲示板利用者であった場合、メールアドレスの登録を行うかどうかの問い合わせをし、問い合わせの応答があった後、データベース内の電子掲示板利用者データ、掲載記事データを更新する。
【００４７】
電子掲示板利用者が以前に電子掲示板を利用したことがある場合、ステップＳ２０４において、累積投稿回数が、投稿回数別文章データの応答投稿回数と一致しているかどうかの判断が行われる。
【００４８】
応答投稿回数に一致しない場合は、データベース内の電子掲示板利用者データにおける累積投稿回数と、掲載記事データとを更新した後、投稿記事を掲載する。
【００４９】
累積投稿回数が応答投稿回数と一致した場合は、応答投稿回数に対応した電子メール本文に記載される送信文章が、投稿回数別文章データから抽出され、抽出した送信文章を電子メール作成機能へ送信し、さらにステップＳ２０６において電子メールアドレスの検索が行われる。
【００５０】
ステップＳ２０６において、電子メールアドレスがデータベースに格納してある場合は、その電子メールアドレスが電子メール作成機能へ送信される。
【００５１】
ステップＳ２０８において、電子メール作成機能は投稿回数監視機能から送られた送信文章と、電子メールアドレス検索機能から送られた電子メールアドレスを受信し、電子メールを作成する。
【００５２】
作成された電子メールは、電子掲示板利用者の電子メールアドレスへ送信され、同時に投稿された情報が電子掲示板に掲載される。
【００５３】
ステップＳ２０６において、電子メールアドレスが検出されなかった場合は、ステップＳ２１６においてメールアドレスの登録を行うかどうかの問い合わせが行われ、問い合わせに対する応答を受けてデータベース内の電子掲示板利用者データを更新し、その後、投稿記事を電子掲示板に掲載する。
【００５４】
すべての処理が終了し、投稿された情報の電子掲示板への掲載が完了すると、電子掲示板サーバは、再度電子掲示板に新しい投稿がないかどうか監視を再開する。
【００５５】
本発明の第２の実施の形態を以下に説明する。本発明の第２の実施の形態は、データベースに、キーワードをあらかじめ登録しておき、投稿回数監視機能は、投稿回数だけではなく、登録されたキーワードを含む投稿の掲載数を監視し、登録されたキーワードを含む投稿が、所定の掲載数に達した場合に電子メールを送信する。
【００５６】
基本的な実施の構成は、第１の実施の形態に記載した構成と同様であるが、データベースは、任意キーワードをキーワードデータとして登録できる（図６）。キーワードデータは、更に、電子メールを送信する基準となる応答掲載数を記憶する。投稿回数監視機能は、投稿回数の監視と、登録されたキーワードが含まれる投稿の掲載数を監視する。
【００５７】
キーワードは、複数個登録でき、複数個のキーワードを登録した場合、投稿回数監視機能は、登録したすべてのキーワードを含む投稿の掲載のみを監視するか、または、登録したキーワードのうち、少なくとも一つのキーワードを含む投稿を監視する。
【００５８】
登録されたキーワードを含む投稿の掲載数に応答して送信される電子メールは、電子メール本文として、登録キーワードを含む電子掲示板掲載記事の掲載記事ＮＯ．を送信する。
【００５９】
キーワードを登録した電子掲示板利用者が、電子メールの受信は可能だが、電子掲示板の閲覧は不可能な場所にいるような時は、電子掲示板サーバの設定を変更し、電子メールの本文として、上記の掲載記事ＮＯ．に加えて、キーワードを含む投稿の一部もしくは全部を送信する。
【００６０】
キーワード登録に応答した電子メールを受信することによって、能動的に電子掲示板のアクセスし、電子掲示板に掲載された記事を閲覧し、掲載された記事の中から自分が必要な情報を含む投稿記事を探し出すという手間をかけなくても、自分が必要な情報を含む投稿記事の掲載を、電子メールで知ることができる。さらに、電子メールを送信する基準となる応答掲載数を設定することで、キーワードを含む投稿が、情報として活用するに十分な数になった時に、電子メールで掲載数を知ることができる。
【００６１】
これにより、時間を割いて電子掲示板にアクセスし、投稿を閲覧したが、電子掲示板に新しい情報の掲載がなく、アクセス自体が無駄に終わってしまうことが無くなり、時間の有効利用、スムースな情報収集が可能になる。
【００６２】
本発明の第３の実施の形態を以下に説明する。本発明の第３の実施の形態は、投稿の応答して送信する電子メールの送信先電子メールアドレスを、任意の電子メールアドレスを設定する。
【００６３】
基本的な実施の構成は、第１の実施の形態に記載した構成と同様であるが、データベースに記憶する電子メールアドレスを電子掲示板利用者名一つに付き、複数個登録可能とする。電子メール送信機能は登録され複数個の電子メールアドレスの少なくとも一つを選択し、電子メールを送信する機能を有する。
【００６４】
これにより、例えば、電子掲示板利用者が自宅と勤め先とで別々の電子メールアドレスを所有していた場合、両方を登録しておくことで、サーバから送信された電子メールの受信確認が遅れるという問題点を防ぐことができる。
【００６５】
また、電子掲示板管理者は、管理者権限で、電子掲示板利用者に対する電子メールの送信が行われると、電子掲示板管理者にも電子メールの送信が行われる様に設定でき、これにより、電子掲示板管理者は、誰が何回目の投稿を行ったのかを、サーバ内のデータベースを能動的に検索することなく把握することができる。
【００６６】
【発明の効果】
本発明によれば、あらかじめ設定された回数の投稿を行った電子掲示板利用者に対し、自動的にメールを送信する機能を有しているので、電子掲示板を頻繁に利用している利用者に対して、利用回数に応じた情報提供が容易に行える。
【００６７】
また、あらかじめ設定された回数の投稿を行った電子掲示板利用者に対し、自動的にメールを送信する機能を有しているので、電子掲示板の管理者は、電子掲示板を頻繁に利用している利用者の特定が容易に行える。
【図面の簡単な説明】
【図１】図１は、本発明のシステムの構成を示す図である。
【図２】図２は、本発明における情報の投稿から電子掲示板掲載までの流れを示すフローチャートである。
【図３】図３は、本発明の電子掲示板サーバのデータベース内に格納された電子掲示板利用者データの例を示す図である。
【図４】図４は、本発明の電子掲示板サーバのデータベース内に格納された投稿回数別文章データの例を示す図である。
【図５】図５は、本発明の電子掲示板サーバのデータベース内に格納された掲載記事データの例を示す図である。
【図６】図６は、本発明の本発明の電子掲示板サーバのデータベース内に格納されたキーワードデータの例を示す図である。
【符号の説明】
１      電子掲示板サーバ
１ａ    データ処理部
１ｂ    データベース
２      利用者端末
３      電子メールサーバ
４      ネットワーク
【図１】
2004258721.tif 000003
【図２】
2004258721.tif 000004
【図３】
2004258721.tif 000005
【図４】
2004258721.tif 000006
【図５】
2004258721.tif 000007
【図６】
2004258721.tif 000008